【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
光を発光する発光手段と、前記発光手段からの光を受光する受光手段と、前記受光手段の受光量に応じて出力波形が変動する検出手段と、回転可能に軸に支持され、前記発光手段から前記受光手段へと入射する光によって照射される回転板と、を有する回転検知手段と、
前記回転板の状態を、前記検出手段の出力波形と閾値との関係から判断する判断手段と、を備え、
前記回転板は、
周方向に交互に配置された第１の被検出部と第２の被検出部と、
前記周方向に沿って前記第１の被検出部と前記第２の被検出部との間に設けられた第３の被検出部と、
前記周方向に沿って前記第２の被検出部と前記第１の被検出部との間に設けられた第４の被検出部と、を有し、
前記発光手段から発光され前記受光手段によって受光されるべき光が前記第１の被検出部のいずれかの領域を照射する場合に、前記受光手段における受光量が最大となり、前記発光手段から発光され前記受光手段によって受光されるべき光が前記第２の被検出部のいずれかの領域を照射する場合に、前記受光手段における受光量が最小となり、前記発光手段から発光され前記受光手段によって受光されるべき光が前記第３の被検出部を照射する場合に、前記受光手段における受光量が最小よりも大きく最大よりも小さくなり、前記発光手段から発光され前記受光手段に受光されるべき光が前記第４の被検出部を照射する場合に、前記受光手段における受光量が最小よりも大きく最大よりも小さくなることを特徴とする回転検知手段。
【請求項２】
前記閾値として、前記検出手段の出力波形が増加するときに前記回転板の状態を判断する第１閾値と、前記検出手段の出力波形が減少するときに前記回転板の状態を判断する閾値であって、前記第１閾値とは異なる値の第２閾値とを有することを特徴とする請求項１に記載の回転検知手段。
【請求項３】
前記発光手段から発光され前記受光手段によって受光されるべき光が前記第１の被検出部を照射する状態から、前記発光手段から発光され前記受光手段によって受光されるべき光が前記第２の被検出部を照射する状態に向けて前記回転板が回転し、前記発光手段から
発光され前記受光手段によって受光されるべき光が前記第３の被検出部を照射する状態では、前記受光手段における受光量は最大から最小に向けて漸減することを特徴とする請求項１または２に記載の回転検知手段。
【請求項４】
前記発光手段から発光され前記受光手段によって受光されるべき光が前記第２の被検出部を照射する状態から、前記発光手段から発光され前記受光手段によって受光されるべき光が前記第１の被検出部を照射する状態に向けて前記回転板が回転し、前記発光手段から発光され前記受光手段によって受光されるべき光が前記第４の被検出部を照射する状態では、前記受光手段における受光量は最小から最大に向けて漸増することを特徴とする請求項１または２に記載の回転検知手段。
【請求項５】
前記発光手段から発光され前記受光手段によって受光されるべき光が前記第１の被検出部を照射する状態から、前記第２の被検出部を照射する状態に向けて前記回転板が回転し、前記発光手段から発光され前記受光手段によって受光されるべき光が前記第３の被検出部を照射する状態では、前記受光手段における受光量は最大から最小に向けて段階的に減少することを特徴とする請求項１または２に記載の回転検知手段。
【請求項６】
前記発光手段から発光され前記受光手段によって受光されるべき光が前記前記第２の被検出部を照射する状態から、前記第１の被検出部を照射する状態に向けて前記回転板が回転し、前記発光手段から発光され前記受光手段によって受光されるべき光が前記第４の被検出部を照射する状態では、前記受光手段における受光量は最小から最大に向けて段階的に増加することを特徴とする請求項１または２に記載の回転検知手段。
【請求項７】
前記受光手段は、前記発光手段に向かって開口し、前記受光手段によって受光される光を、前記開口内の領域を照射する光に制限する受光領域制限手段を有し、
前記回転板は前記軸方向に貫通する開口部と、前記発光手段から発光され前記受光手段によって受光されるべき光を遮る遮光部とを有し、
前記第１の被検出部は前記開口部を含み、
前記第２の被検出部は前記遮光部を含み、
前記第３の被検出部は、前記開口部及び前記遮光部を含み、前記光が前記第１の被検出部を照射する状態から前記第２の被検出部を照射する状態に向けて前記回転板が回転するときに、前記受光領域制限手段の開口において前記開口部が占める面積に対する前記遮光部が占める面積の割合が漸増することを特徴とする請求項３に記載の回転検知手段。
【請求項８】
前記受光手段は、前記発光手段に向かって開口し、前記受光手段によって受光される光を、前記開口内の領域を照射する光に制限する受光領域制限手段を有し、
前記回転板は前記軸方向に貫通する開口部と、前記発光手段から発光され前記受光手段によって受光されるべき光を遮る遮光部とを有し、
前記第１の被検出部は前記開口部を含み、
前記第２の被検出部は前記遮光部を含み、
前記第４の被検出部は、前記開口部及び前記遮光部を含み、前記光が前記第２の被検出部を照射する状態から前記第１の被検出部を照射する状態に向けて前記回転板が回転するときに、前記受光領域制限手段の開口において前記開口部が占める面積に対する前記遮光部が占める面積の割合が漸減することを特徴とする請求項４に記載の回転検知手段。
【請求項９】
前記発光手段から発光され前記受光手段によって受光されるべき光が前記第１の被検出部を状態から前記第２の被検出部を照射する状態に向けて回転板が回転するときに、前記第３の被検出部における前記開口部と前記遮光部の境界部は、前記受光領域制限手段の開口の縁部に対して斜交することを特徴とする請求項７に記載の回転検知手段。
【請求項１０】
前記第３の被検出部における前記開口部と前記遮光部の境界部は、前記回転板の径方向に対して斜めに構成されることを特徴とする請求項９に記載の回転検知手段。
【請求項１１】
前記第３の被検出部における前記開口部と前記遮光部の境界部は、前記回転板の径方向に沿って構成されることを特徴とする請求項９に記載の回転検知手段。
【請求項１２】
前記発光手段から発光され前記受光手段によって受光されるべき光が前記第２の検出部を照射する状態から前記第１の被検出部を照射する状態に向けて回転板が回転するときに、前記第４の被検出部における前記遮光部と前記開口部の境界部は、前記受光領域制限手段の開口の縁部に対して斜交することを特徴とする請求項８に記載の回転検知手段。
【請求項１３】
前記第４の被検出部における前記遮光部と前記開口部の境界部は、前記回転板の径方向に対して斜めに構成されることを特徴とする請求項１２に記載の回転検知手段。
【請求項１４】
前記第４の被検出部における前記遮光部と前記開口部の境界部は、前記回転板の径方向に沿って構成されることを特徴とする請求項１２に記載の回転検知手段。
【請求項１５】
前記第１の被検出部は前記軸方向に貫通する開口部を含み、
前記第２の被検出部、前記第３の被検出部及び前記第４の被検出部を、前記軸方向の厚さが前記第２の被検出部において最も厚く、前記第３の被検出部及び前記第４の被検出部の前記方向の厚さは前記第２の被検出部における厚さよりも薄い部材で構成したことを特徴とする請求項１、２、５又は６のいずれか１項に記載の回転検知手段。
【請求項１６】
前記第１の被検出部は前記軸方向に貫通する開口部を含み、
前記第２の被検出部、前記第３の被検出部及び前記第４の被検出部を、それぞれ第２の部材、第３の部材及び第４の部材によって構成し、
前記第３の部材及び第４の部材の光の透過率は、第２の部材の光の透過率よりも大きいことを特徴とする請求項１、２、５又は６のいずれか１項に記載の回転検知手段。
【請求項１７】
前記第１の被検出部、前記第２の被検出部、前記第３の被検出部及び前記第４の被検出部を、それぞれ第１の部材、第２の部材、第３の部材及び第４の部材によって構成し、
前記第３の部材及び第４の部材の光の透過率は、前記第１の部材の光の透過率よりも小さく前記第２の部材の光の透過率よりも大きいことを特徴とする請求項１、２、５又は６のいずれか１項に記載の回転検知手段。
【請求項１８】
シートを積載するシート積載部と、
前記シート積載部に積載された前記シートを送り出すシート給送手段と、
前記シートが送り出されるタイミングで前記シートのうち最上位のシートが前記シート給送手段に押圧するように前記シート積載部を移動させ、その他の場合には前記シート給送手段から離間するように前記シート積載部を移動させる積載部移動手段と、
前記シートのうち最下位のシートの面に前記回転板の周面を当接させることによって、前記最下位のシートの移動を検出する請求項１〜１７のいずれか１項に記載の回転検知手段と、
を備えたことを特徴とするシート搬送装置。
【請求項１９】
請求項１８に記載のシート搬送装置と、
前記シート搬送装置から送り出された前記シートに画像を形成する画像形成手段と、
を備えたことを特徴とする画像形成装置。
【手続補正２】
【補正対象書類名】明細書
【補正対象項目名】００１５
【補正方法】変更
【補正の内容】
【００１５】
上記目的を達成するために、本発明の回転検知手段は、
光を発光する発光手段と、前記発光手段からの光を受光する受光手段と、前記受光手段の受光量に応じて出力波形が変動する検出手段と、回転可能に軸に支持され、前記発光手段から前記受光手段へと入射する光によって照射される回転板と、を有する回転検知手段と、
前記回転板の状態を、前記検出手段の出力波形と閾値との関係から判断する判断手段と、を備え、
前記回転板は、
周方向に交互に配置された第１の被検出部と第２の被検出部と、
前記周方向に沿って前記第１の被検出部と前記第２の被検出部との間に設けられた第３の被検出部と、
前記周方向に沿って前記第２の被検出部と前記第１の被検出部との間に設けられた第４の被検出部と、を有し、
前記発光手段から発光され前記受光手段によって受光されるべき光が前記第１の被検出部のいずれかの領域を照射する場合に、前記受光手段における受光量が最大となり、前記発光手段から発光され前記受光手段によって受光されるべき光が前記第２の被検出部のいずれかの領域を照射する場合に、前記受光手段における受光量が最小となり、前記発光手段から発光され前記受光手段によって受光されるべき光が前記第３の被検出部を照射する場合に、前記受光手段における受光量が最小よりも大きく最大よりも小さくなり、前記発光手段から発光され前記受光手段に受光されるべき光が前記第４の被検出部を照射する場合に、前記受光手段における受光量が最小よりも大きく最大よりも小さくなることを特徴とする。